(57)【要約】【課題】ユーザの視点に関わらず取付部材を共通にすることにより、部材のコストの削減が可能なナビゲーションシステムを提供する。【解決手段】ナビゲーション装置３００には、ＬＣＤ上方向１０の視野角がＬＣＤ下方向２０よりも優れるＬＣＤパネル１１０と、画像信号が入力される第１コネクタ素子２９０と、ＬＣＤパネル１１０に画像を表示させる表示デバイス２１０とを有するＬＣＤエスカッション１を取り付け可能である。マイコン３２０は第１コネクタ素子２９０に接続可能な第２コネクタ素子３８０ａおよび第３コネクタ素子３８０ｂを介して画像信号を出力すると共に、どちらのコネクタが第１コネクタ素子２９０に接続されているかを検知してＬＣＤエスカッション１に出力する。表示デバイス２１０は、検知結果に応じてＬＣＤ上方向１０およびＬＣＤ下方向２０のいずれかに画像上方向５０が一致するように画像を表示させる。【選択図】図６
2012127846.tif 000002
【特許請求の範囲】
【請求項１】
画像信号を出力するナビゲーション装置と、前記画像信号に基づいて画像を表示する表示装置と、から成るナビゲーションシステムであって、
前記表示装置は、画像が表示される表示画面を上方向から見た場合の視野角が、表示画面を下方向から見た場合の視野角よりも優れる表示パネルと、前記画像信号が入力される第１接続手段と、前記画像信号に基づいて前記表示パネルに画像を表示させる画像表示手段とを有し、
前記ナビゲーション装置は、前記第１接続手段に択一的に電気的に接続可能な第２接続手段および第３接続手段と、前記第２接続手段および前記第３接続手段を介して前記表示装置に画像信号を出力する画像信号出力手段と、前記第２接続手段および前記第３接続手段のどちらが前記第１接続手段に接続されているかを検知する接続検知手段と、前記接続検知手段による検知結果を前記第２接続手段および前記第３接続手段を介して前記表示装置に出力する検知信号出力手段とを有し、
前記画像表示手段は、前記第２接続手段が前記第１接続手段に接続されている場合には、前記表示パネルに表示させる画像の上方向が前記表示画面の上方向と一致するように前記画像を表示させ、前記第３接続手段が前記第１接続手段に接続されている場合には、前記表示パネルに表示させる画像の上方向が前記表示画面の下方向と一致するように前記画像を表示させることを特徴とするナビゲーションシステム。
【請求項２】
請求項１に記載のナビゲーションシステムにおいて、
前記ナビゲーション装置は、前記表示装置が取り付けられる取付手段を更に有し、
前記第２接続手段と前記第３接続手段とは、前記取付手段の中心に対して点対称に配置されることを特徴とするナビゲーションシステム。
【請求項３】
請求項１または２に記載のナビゲーションシステムにおいて、
前記ナビゲーション装置は、前記第１接続手段と前記第２接続手段とが接続された場合と、前記第１接続手段と前記第３接続手段とが接続された場合とで、前記接続検知手段に入力される所定信号の信号レベルが異なるように構成され、
前記接続検知手段は、前記所定信号の信号レベルに基づき前記検知を行うことを特徴とするナビゲーションシステム。
【発明の詳細な説明】
【技術分野】
【０００１】
本発明は、ナビゲーションシステムに関する。
【背景技術】
【０００２】
車載用ナビゲーション装置は一般に、液晶パネル等を用いた表示モジュールを備えている。このような表示モジュールには、上下方向で表示画面の視野角特性が異なるものが知られている。例えば特許文献１には、上方向に６０度、下方向に３０度の視野角を有する液晶パネルが記載されている。
【先行技術文献】
【特許文献】
【０００３】
【特許文献１】特開平９−１１６８３５号公報
【発明の概要】
【発明が解決しようとする課題】
【０００４】
従来の車載用ナビゲーション装置は、車両に取り付ける際、ユーザの視点が上方向にある場合と下方向にある場合とで、ユーザの視点に合わせた視野角特性を持つ表示モジュールを別々に用意する必要があった。
【課題を解決するための手段】
【０００５】
請求項１に係る発明は、画像信号を出力するナビゲーション装置と、画像信号に基づいて画像を表示する表示装置と、から成るナビゲーションシステムであって、表示装置は、画像が表示される表示画面を上方向から見た場合の視野角が、表示画面を下方向から見た場合の視野角よりも優れる表示パネルと、画像信号が入力される第１接続手段と、画像信号に基づいて表示パネルに画像を表示させる画像表示手段とを有し、ナビゲーション装置は、第１接続手段に択一的に電気的に接続可能な第２接続手段および第３接続手段と、第２接続手段および第３接続手段を介して表示装置に画像信号を出力する画像信号出力手段と、第２接続手段および第３接続手段のどちらが第１接続手段に接続されているかを検知する接続検知手段と、接続検知手段による検知結果を第２接続手段および第３接続手段を介して表示装置に出力する検知信号出力手段とを有し、画像表示手段は、第２接続手段が第１接続手段に接続されている場合には、表示パネルに表示させる画像の上方向が表示画面の上方向と一致するように画像を表示させ、第３接続手段が第１接続手段に接続されている場合には、表示パネルに表示させる画像の上方向が表示画面の下方向と一致するように画像を表示させることを特徴とするナビゲーションシステムである。
【発明の効果】
【０００６】
本発明によれば、ユーザの視点に関わらず取付部材を共通にできるので、部材のコストを削減することができる。
【図面の簡単な説明】
【０００７】
【図１】第１の実施の形態のＬＣＤエスカッションを示す斜視図である。
【図２】第１の実施の形態のナビゲーション装置が車両に設置されている様子を示す図である。
【図３】第１の実施形態のナビゲーション装置３００およびＬＣＤエスカッション１の構成を示すブロック図である。
【図４】第１の実施形態における接続検知処理のための構成を模式的に示した図である。
【図５】ユーザの視点が筐体上方向３０にある場合のＬＣＤエスカッション１の取り付け方を示す図である。
【図６】ユーザの視点が筐体下方向４０にある場合のＬＣＤエスカッション１の取り付け方を示す図である。
【発明を実施するための形態】
【０００８】
（第１の実施の形態）
本発明を車載用ナビゲーション装置（以下、単にナビゲーション装置と呼ぶ）に適用した第１の実施の形態について説明する。本実施形態に係るナビゲーション装置は、液晶を用いた表示装置であるＬＣＤエスカッションを取り付け可能に構成されている。ＬＣＤエスカッションが取り付けられると、ナビゲーション装置はＬＣＤエスカッションの表示画面に地図やメニュー等の画像を表示する。
【０００９】
図１は、第１の実施の形態のＬＣＤエスカッションを示す斜視図である。図１（ａ）はＬＣＤエスカッション１を表側（表示画面側）から見た図であり、図１（ｂ）はＬＣＤエスカッション１を裏側から見た図である。以下の説明では便宜上、矢印１０で示す方向をＬＣＤ上方向１０、矢印２０で示す方向をＬＣＤ下方向２０と呼ぶ。
【００１０】
ＬＣＤエスカッション１は、ＬＣＤモジュール１００とＬＣＤ基板２００とが、樹脂製のフレームにより固定された構成となっている。ＬＣＤモジュール１００とＬＣＤ基板２００とは、不図示のフレキシブルケーブルにより電気的に接続されている。図１（ｂ）に示すように、ＬＣＤ基板２００の表面には、第１コネクタ素子２９０が配置されている。以下の説明では、ＬＣＤモジュール１００が存在する面（図１（ａ）に示す面）をＬＣＤ前面と呼ぶ。また、ＬＣＤ基板２００が存在する面（図１（ｂ）に示す面）をＬＣＤ背面と呼ぶ。
【００１１】
ＬＣＤモジュール１００にはＴＮ（Ｔｗｉｓｔｅｄ  Ｎｅｍａｔｉｃ）型の液晶パネル（後述）が組み込まれている。一般にＴＮ型の液晶パネルは、上下方向において非対称の視野角特性を有する。つまり、一方向からＬＣＤモジュール１００を見たとき画面の視野角が、他方向からＬＣＤモジュール１００を見たときよりも大きくなる。本実施形態のＬＣＤモジュール１００は、ＬＣＤ上方向１０が最適な視角方向である。すなわち、ユーザがＬＣＤ上方向１０から画面を見たとき、ＬＣＤ下方向２０から画面を見る場合に比べて、視野角が大きくなる。
【００１２】
図２は、第１の実施の形態のナビゲーション装置が車両に設置されている様子を示す図である。図２（ａ）は車両筐体を前面から見た斜視図、図２（ｂ）は断面図である。以下の説明では便宜上、矢印３０で示す方向を筐体上方向３０、矢印４０で示す方向を筐体下方向４０と呼ぶ。
【００１３】
ナビゲーション装置３００の表面には、ＬＣＤエスカッション１が取り付けられる取付部３０１が存在する。取付部３０１取付部３０１の内部には、取付部３０１の中心に対して点対称に配置された第２コネクタ素子３８０ａおよび第３コネクタ素子３８０ｂが存在する。第２コネクタ素子３８０ａおよび第３コネクタ素子３８０ｂは、それぞれＬＣＤエスカッション１の第１コネクタ素子２９０と電気的に接続可能な形状を有する。
【００１４】
これらの各コネクタ素子の極性は、互いに電気的に接続可能であればよく、特定の極性に限定されるものではない。本実施形態では、第１コネクタ素子２９０がプラグ、第２コネクタ素子３８０ａおよび第３コネクタ素子３８０ｂがレセプタクルである。すなわち、第１コネクタ素子２９０は複数のピンから構成され、第２コネクタ素子３８０ａおよび第３コネクタ素子３８０ｂは複数のピン孔から構成されている。
【００１５】
ユーザはＬＣＤエスカッション１を、ＬＣＤ上方向１０と筐体上方向３０が一致するように取り付けることも、ＬＣＤ上方向１０と筐体下方向４０が一致するように取り付けることもできる。ＬＣＤ上方向１０と筐体上方向３０が一致するようにＬＣＤエスカッション１が取り付けられると、ＬＣＤエスカッション１の第１コネクタ素子２９０と取付部３０１の第２コネクタ素子３８０ａとが接続される。他方、ＬＣＤ上方向１０と筐体下方向４０が一致するようにＬＣＤエスカッション１が取り付けられると、ＬＣＤエスカッション１の第１コネクタ素子２９０と取付部３０１の第３コネクタ素子３８０ｂとが接続される。
【００１６】
このようにＬＣＤエスカッション１を異なる方向に向けて取り付け可能としているのは、ナビゲーション装置３００を利用するユーザの視点がどちらの方向に存在しても最高の表示品質が得られるようにするためである。すなわち、本実施形態のナビゲーション装置３００は、ユーザの視点が主に筐体上方向３０に存在する場合と、主に筐体下方向４０に存在する場合とで、ＬＣＤエスカッション１の取り付け向きを変えることができる。
【００１７】
図３は第１の実施形態のナビゲーション装置３００およびＬＣＤエスカッション１の構成を示すブロック図である。なお図３は本発明に関連する回路、部材等についてのみ記載したブロック図である。例えば経路探索、経路誘導を行うためのセンサ類については記載を省略している。
【００１８】
ナビゲーション装置３００は、主電源回路３１０、マイコン３２０、第２コネクタ素子３８０ａ、および第３コネクタ素子３８０ｂを備える。主電源回路３１０は、マイコン３２０に駆動電力を供給すると共に、第２コネクタ素子３８０ａおよび第３コネクタ素子３８０ｂを介してＬＣＤエスカッション１の各部に駆動電力を供給する。
【００１９】
マイコン３２０はナビゲーション装置３００の各種制御を行うと共に、ＬＣＤエスカッション１に対して画像信号を出力する。画像信号は第２コネクタ素子３８０ａおよび第３コネクタ素子３８０ｂを介して出力される。マイコン３２０は更に、第２コネクタ素子３８０ａおよび第３コネクタ素子３８０ｂのどちらが第１コネクタ素子２９０に接続されているかを検知する（以下、接続検知処理と呼ぶ）。マイコン３２０による接続検知処理については後に詳述する。
【００２０】
ＬＣＤエスカッション１は、ＬＣＤモジュール１００とＬＣＤ基板２００とを含む。ＬＣＤ基板２００は、表示デバイス２１０、駆動回路２２０、バックライト駆動用電源回路２３０、第１コネクタ素子２９０、および第５コネクタ２８０を備える。表示デバイス２１０、駆動回路２２０、およびバックライト駆動用電源回路２３０は、主電源回路３１０から電力の供給を受けて動作する。
【００２１】
表示デバイス２１０は、ナビゲーション装置３００が出力する画像信号に対し所定の信号処理を行い、その結果をＬＣＤドライバ１３０（後述）に出力してＬＣＤパネル１１０（後述）に画像を表示させる。バックライト駆動用電源回路２３０は、主電源回路３１０から供給された電力に対し電圧の変換等を行い、バックライト１２０（後述）に電力を供給する。第１コネクタ素子２９０は前述の通り、ナビゲーション装置３００の第２コネクタ素子３８０ａか、あるいは第３コネクタ素子３８０ｂのいずれか一方に接続される。
【００２２】
ＬＣＤモジュール１００は、ＬＣＤパネル１１０、バックライト１２０、ＬＣＤドライバ１３０、電源回路１４０、および第４コネクタ１９０を備える。ＬＣＤパネル１１０は偏光フィルタやカラーフィルタ、液晶材料等により構成されるＴＮ型の液晶パネルである。バックライト１２０はＬＣＤパネル１１０の裏面に光を照射する発光部材である。ＬＣＤドライバ１３０はＬＣＤパネル１１０を駆動し画像を表示させる回路である。
【００２３】
電源回路１４０はナビゲーション装置３００から供給される電圧の変換等を行い、ＬＣＤパネル１１０およびＬＣＤドライバ１３０に適切な駆動電力を供給する。第５コネクタ２８０は、ＬＣＤモジュール１００の第４コネクタ１９０と不図示のフレキシブルケーブルにより電気的に接続されている。
【００２４】
（マイコン３２０による接続検知処理の説明）
前述の通り、ＬＣＤエスカッション１のナビゲーション装置３００への取り付け方は２通り存在する。１つは、ＬＣＤ上方向１０と筐体上方向３０とを一致させる取り付け方である。もう１つは、ＬＣＤ下方向２０と筐体上方向３０とを一致させる取り付け方である。前者の場合、第１コネクタ素子２９０は第２コネクタ素子３８０ａと接続される。後者の場合、第１コネクタ素子２９０は第３コネクタ素子３８０ｂと接続される。
【００２５】
マイコン３２０は、以下に説明する方法で、第１コネクタ素子２９０に接続されたコネクタが第２コネクタ素子３８０ａなのか、あるいは第３コネクタ素子３８０ｂなのかを検知する。すなわち、ＬＣＤ上方向１０と筐体上方向３０とが一致しているのか、あるいはＬＣＤ下方向２０と筐体上方向３０とが一致しているのかを検知する。そして、検知結果を第１コネクタ素子２９０を介して表示デバイス２１０に送信する。
【００２６】
図４は、第１の実施形態における接続検知処理のための構成を模式的に示した図である。図中の黒丸は、マイコン３２０の接続検知用端子３２１である。マイコン３２０は、この接続検知用端子３２１において検出された信号レベルに基づいて、接続検知処理を行う。
【００２７】
第１コネクタ素子２９０は、１から始まる番号が振られた複数のピンを備えている。第２コネクタ素子３８０ａおよび第３コネクタ素子３８０ｂはそれぞれ、上記の複数のピンにそれぞれ対応する、１から始まる番号が振られた複数のピン孔を備えている。第１コネクタ素子２９０が有する複数のピンのうち、取付部３０１の中心にもっとも近いピンが１番ピンである。第2コネクタ素子３８０ａおよび第３コネクタ素子３８０ｂが有する複数のピン孔についても同様に、取付部３０１の中心にもっとも近いピン孔が１番ピン孔である。第２コネクタ素子３８０ａおよび第３コネクタ素子３８０ｂの１番ピン孔は、それぞれ第１コネクタ素子２９０の１番ピンに接続されるようになっている。
【００２８】
ＬＣＤ基板２００において、第１コネクタ素子２９０の１番ピンは電源Ｖｃｃに接続されており、第２コネクタ素子３８０ａおよび第３コネクタ素子３８０ｂの１番ピン孔に所定電圧（例えば５Ｖ）を供給する。第３コネクタ素子３８０ｂの１番ピン孔は、マイコン３２０の接続検知用端子３２１に接続されると共に、抵抗Ｒ１を介して接地されている（プルダウン）。他方、第２コネクタ素子３８０ａの１番ピン孔はナビゲーション装置３００において絶縁されている。つまり、どの回路要素にも接続されていない。
【００２９】
第１コネクタ素子２９０が第２コネクタ素子３８０ａに接続されると、マイコン３２０の接続検知用端子３２１における電位はＧＮＤと同一のレベルになる。つまり、マイコン３２０は接続検知用端子３２１においてローレベルを検出する。他方、第１コネクタ素子２９０が第３コネクタ素子３８０ｂに接続されると、マイコン３２０の接続検知用端子３２１はＬＣＤ基板２００の電源Ｖｃｃに接続されることになる。このときマイコン３２０の接続検知用端子３２１における電位はＶｃｃと同一のレベルとなる。つまり、マイコン３２０は接続検知用端子３２１においてハイレベルを検出する。
【００３０】
以上のように構成することにより、接続検知用端子３２１の信号レベルは第２コネクタ素子３８０ａが接続された場合とで第３コネクタ素子３８０ｂが接続された場合とで異なるようになる。マイコン３２０はこの信号レベルの違いを検出することにより、第１コネクタ素子２９０に第２コネクタ素子３８０ａおよび第３コネクタ素子３８０ｂのどちらが接続されたのかを検知する。そして、検知結果を表示デバイス２１０に送信する。
【００３１】
（表示デバイス２１０による走査方向の変更の説明）
表示デバイス２１０は、マイコン３２０により送信されたコネクタの検知結果に応じて、表示画面の走査方向を変更する。具体的には、表示画面に表示される画像の上下左右方向を変更する。以下、検知結果と表示方向の関係について説明する。
【００３２】
図５は、ユーザの視点が筐体上方向３０にある場合のＬＣＤエスカッション１の取り付け方を示す図である。図５（ａ）に示す画像６０が表示する画像である。つまり、マイコン３２０は画像６０を表す画像信号をＬＣＤエスカッション１に出力する。図５（ａ）に示す矢印５０は、この画像の上方向を表している。以下、矢印５０の方向を画像上方向５０と呼ぶ。
【００３３】
ユーザの視点が筐体上方向３０にある場合、ＬＣＤエスカッション１は、ＬＣＤ上方向１０と筐体上方向３０とが一致するようにナビゲーション装置３００に取り付けられる。図５（ｂ）に、ＬＣＤエスカッション１を上記のようにナビゲーション装置３００に取り付けた様子を示す。このとき、第１コネクタ素子２９０には第２コネクタ素子３８０ａが接続される。
【００３４】
第１コネクタ素子２９０に第２コネクタ素子３８０ａが接続されていることが検知されると、表示デバイス２１０は図５（ｃ）に示すように、画像上方向５０がＬＣＤ上方向１０と一致するように画像６０を表示させる。その結果、図５（ｂ）に示すように、画像上方向５０は筐体上方向３０およびＬＣＤ上方向１０と一致する。つまり、画像６０が正しい向きで表示されると共に、ＬＣＤエスカッション１に対するユーザの視点は大きな視野角が得られる方向（ＬＣＤ上方向１０）に存在することとなる。
【００３５】
図６は、ユーザの視点が筐体下方向４０にある場合のＬＣＤエスカッション１の取り付け方を示す図である。図５の場合と同様に、図６（ａ）に示す画像６０が表示する画像である。また、図６（ａ）に示す矢印５０は、この画像の上方向を表す画像上方向５０である。
【００３６】
ユーザの視点が筐体下方向４０にある場合、ＬＣＤエスカッション１は、ＬＣＤ上方向１０と筐体下方向４０とが一致するようにナビゲーション装置３００に取り付けられる。図６（ｂ）に、ＬＣＤエスカッション１を上記のようにナビゲーション装置３００に取り付けた様子を示す。このとき、第１コネクタ素子２９０には第３コネクタ素子３８０ｂが接続される。
【００３７】
第１コネクタ素子２９０に第３コネクタ素子３８０ｂが接続されていることが検知されると、表示デバイス２１０は図６（ｃ）に示すように、画像上方向５０がＬＣＤ下方向２０と一致するように画像６０を表示させる。すなわち、図５（ｃ）に示す走査方向とは逆向きに画像６０を走査して表示する。これは、ＬＣＤエスカッション１が、図５（ｂ）から１８０度回転させて取り付けられるためである。これにより、図６（ｂ）に示すように、画像上方向５０は筐体上方向３０およびＬＣＤ下方向２０と一致する。つまり、画像６０が正しい向きで表示されると共に、ＬＣＤエスカッション１に対するユーザの視点は図５の場合と同様に大きな視野角が得られる方向（ＬＣＤ上方向１０）に存在することとなる。
【００３８】
上述した第１の実施の形態による車載用ナビゲーション装置によれば、次の作用効果が得られる。
（１）ＬＣＤパネル１１０は、ＬＣＤ上方向１０から見た場合の視野角がＬＣＤ下方向２０から見た場合の視野角よりも大きく、表示デバイス２１０は、ＬＣＤパネル１１０に表示する画像の画像上方向５０をＬＣＤ上方向１０と一致させることも、ＬＣＤ下方向２０と一致させることも可能である。ナビゲーション装置３００は、いずれも第１コネクタ素子２９０に接続可能な第２コネクタ素子３８０ａおよび第３コネクタ素子３８０ｂを有し、これらのコネクタを介して表示デバイス２１０に画像信号を出力する。マイコン３２０は、第１コネクタ素子２９０が接続されているコネクタを検知する接続検知処理を実行し、検知結果を表示デバイス２１０に出力する。表示デバイス２１０は検知結果に応じて画像上方向５０がＬＣＤ上方向１０およびＬＣＤ下方向２０のどちらに一致するかを決定する。このようにしたので、ユーザの視点に関わらず取付部材を共通にでき、部材のコストを削減することができる。
【００３９】
（２）ＬＣＤエスカッション１が取り付けられる取付部３０１において、第２コネクタ素子３８０ａと第３コネクタ素子３８０ｂとは、互いに点対称に配置される。このようにしたので、ＬＣＤエスカッション１をナビゲーション装置３００に実装する際に１８０度反転させることが可能となった。すなわち、ＬＣＤエスカッション１の取付方向に関わらず、ナビゲーション装置３００とＬＣＤエスカッション１との電気的接続を確保することができる。
【００４０】
（３）ナビゲーション装置３００は、第１コネクタ素子２９０に第２コネクタ素子３８０ａが接続された場合と、第３コネクタ素子３８０ｂが接続された場合とで、マイコン３２０の接続検知用端子３２１における信号レベルが異なるように構成され、マイコン３２０は、この信号レベルに基づいて接続検知処理を行う。このようにしたので、回路規模および部品点数を増加させずに確実な接続検知処理を行うことができる。
【００４１】
（４）ＬＣＤエスカッション１は、ユーザの視点がＬＣＤ上方向１０にある場合と、ＬＣＤ下方向２０にある場合と、の両方に対応可能に構成されている。すなわち、ＬＣＤエスカッション１はどちらの視点を前提とした装置に取り付けることも可能に構成されている。このようにしたので、種々の機器において表示装置の共通化を図ることが可能であり、表示装置の供給コストを削減することができる。
【００４２】
次のような変形も本発明の範囲内であり、変形例の一つ、もしくは複数を上述の実施形態と組み合わせることも可能である。
【００４３】
（変形例１）
ＬＣＤパネル１１０が、上下方向以外の方向について異なる視野角特性を持つ場合であっても、本発明を適用することができる。この場合、ナビゲーション装置３００の取付部３０１において、それぞれの方向に応じた位置に接続用コネクタを配置すればよい。また、３つ以上の取り付け方向に対応させることも可能である。
【００４４】
（変形例２）
接続検知処理の実現方法は、上述の実施形態において説明した方法に限定されない。例えば、物理的なスイッチにより第２コネクタ素子３８０ａおよび第３コネクタ素子３８０ｂのどちらが第１コネクタ素子２９０に接続されているかを検知する構成としてもよいし、第１の実施の形態とは異なる方法により電気的に接続を検知する構成としてもよい。
【００４５】
（変形例３）
表示装置の表示画面はＴＮ型の液晶パネルに限定されない。複数の視角方向に対しそれぞれ異なる視野角特性を有する表示装置であれば、本発明を適用することができる。また、表示装置を取り付ける画像出力部についても、車載用ナビゲーション装置に限定されるものではない。
【００４６】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００４７】
１…ＬＣＤエスカッション、１００…ＬＣＤモジュール、１１０…ＬＣＤパネル、２００…ＬＣＤ基板、２１０…表示デバイス、２９０…第１コネクタ素子、３００…車載用ナビゲーション装置、３０１…取付部、３２０…マイコン、３８０ａ…第２コネクタ素子、３８０ｂ…第３コネクタ素子
【図１】
2012127846.tif 000003
【図２】
2012127846.tif 000004
【図３】
2012127846.tif 000005
【図４】
2012127846.tif 000006
【図５】
2012127846.tif 000007
【図６】
2012127846.tif 000008